(57)【要約】【課題】パッキンの脱落防止、さらには外れたとしてもパッキンの紛失防止が容易な飲料容器の栓体を提供する。【解決手段】パッキン19は、容器本体２の開口端部２Ａと、栓体10の凹部20の奥面25にそれぞれ下面26及び上面27で接して止水する止水突起部22と、突起部22の内側下端から下方へ延出し、内側面29が栓体10の内壁21の外側面と接して止水する下方延出壁23と、栓体10の内壁21の下端21Ａを越えた位置から、下方延出壁23の下端から内向きに延出する内向き延出面24とを備える。パッキン19の下方延出壁23と栓体10の内壁21との間の接触面積が大きいため脱落しにくく、漏れにくくなる。またパッキン19の上下幅、断面積などのサイズが比較的大きいため、脱落した場合もパッキン19は単部品状態での視認性が向上するため目立ち、紛失しにくくなる。【選択図】図１
2010189037.tif 000002
【特許請求の範囲】
【請求項１】
飲料用の容器本体と、この容器本体の開口に被着される栓体と、この栓体に取り付けされて容器本体の開口と前記栓体の間を水密に止水するパッキンと、前記栓体の内面に設けられたパッキンの取り付け用凹部と、この取り付け用凹部の内側に位置し下方へ延出する内壁を備えた飲料容器の栓体において、
前記パッキンは、
前記容器本体の開口端部と前記栓体の凹部奥面にそれぞれ下面及び上面で接して止水する止水突起部、
前記突起部の内側下端から下方へ延出し、内側面が前記栓体の内壁の外側面と接して止水する下方延出壁、
前記栓体の内壁の下端を越えた位置から、前記下方延出壁の下端から内向きに延出する内向き延出面、
を備えたことを特徴とする飲料容器の栓体。
【請求項２】
前記下方延出壁の内側面の上下長は、前記突起部の上下長に対して２倍相当以上であることを特徴とする請求項１記載の飲料容器の栓体。
【請求項３】
前記内向き延出面の上面の幅は、栓体の内壁下端の肉厚に対して同等以上であることを特徴とする請求項１又は２記載の飲料容器の栓体。
【請求項４】
前記内向き延出面の下面が、前記パッキンを前記凹部へ取り付ける場合の押ししろ部であり、また前記内向き延出面が、前記パッキンを取り外す場合のつかみしろであることを特徴とする請求項１〜３のいずれか１項に記載の飲料容器の栓体。
【発明の詳細な説明】
【技術分野】
【０００１】
本発明は、携帯用魔法瓶や水筒，スポーツドリンク容器を始めとする各種の飲料容器の栓体に関するものである。
【背景技術】
【０００２】
従来、この種の飲料容器の栓体においては、飲料用の容器本体と、この容器本体の開口に被着される栓体と、この栓体に取り付けされて容器本体の開口と栓体の間を水密に止水するパッキンと、栓体の内面に設けられたパッキン取り付け凹部と、この取り付け凹部の内側に位置し下方へ延出する内壁を備え、そしてパッキンは平面が円環状の扁平に形成されており、容器本体の開口と栓体の凹部奥面にそれぞれ下面、上面で接して止水するものが知られている。
【先行技術文献】
【特許文献】
【０００３】
【特許文献１】特許第３９３７４２８号公報
【発明の概要】
【発明が解決しようとする課題】
【０００４】
前記従来技術においては、栓体の内壁と接触して止水する面が円環状のパッキンの内側面のみのため接触面積が小さいため、パッキン脱落防止のための摩擦力が比較的小さい。そのため、洗浄時等にパッキンが脱落しやすく、紛失しやすく漏れやすいおそれがある。
【０００５】
また、従来技術では、パッキンのサイズ（上下幅、断面積）が比較的小さいため、目立ちにくい。そのため脱落した場合に気付かれずにパッキンがない状態で栓体を容器本体に取り付けてしまい、飲料が漏れるおそれがある。
【０００６】
さらに、パッキンが取り付け用の凹部の奥に取り付けられた状態では、内壁の下端よりパッキンの下端が凹部の奥側に位置するため取り外し作業がしにくい。すなわち、栓体の内壁の上下長はパッキンの上下長より大きいため、凹部の最奥部にパッキンを取り付けた状態では、パッキンの下端は栓体内壁の下端より上側（凹部の奥側）に位置するため、取り外し作業がしにくくなる。このため、内壁には取り外し作業を容易にするための内壁欠損部（切り欠き）が設けられている。しかしながら、このような内壁に取り外し用の欠損部を設けた場合には、凸凹部が洗浄しにくく汚れが溜まり不衛生になりやすいおそれや、凸凹部が洗浄作業時に手指にぶつかり痛くなるおそれもあった。
【０００７】
また、従来技術では、内壁の下端が邪魔となり、パッキンを凹部の最奥部まで押込んで取り付ける作業がしにくく、最奥部まで押込めないよう場合にはパッキンが脱落しやすくなるというおそれもある。
【０００８】
解決しようとする問題点は、パッキンの脱落防止、さらには外れたとしてもパッキンの紛失防止が容易であり、さらに、パッキンの取り付け忘れによる漏れの防止、或いはパッキンの取り外し、取り付け作業性の向上、パッキンの取り付け部の汚れ溜まりの防止を図る点である。
【課題を解決するための手段】
【０００９】
前記目的を達成するために、請求項１の発明は、飲料用の容器本体と、この容器本体の開口に被着される栓体と、この栓体に取り付けされて容器本体の開口と前記栓体の間を水密に止水するパッキンと、前記栓体の内面に設けられたパッキンの取り付け用凹部と、この取り付け用凹部の内側に位置し下方へ延出する内壁を備えた飲料容器の栓体において、前記パッキンは、前記容器本体の開口端部と前記栓体の凹部奥面にそれぞれ下面及び上面で接して止水する止水突起部、前記突起部の内側下端から下方へ延出し、内側面が前記栓体の内壁の外側面と接して止水する下方延出壁、前記栓体の内壁の下端を越えた位置から、前記下方延出壁の下端から内向きに延出する内向き延出面を備えたことを特徴とする飲料容器の栓体である。
【００１０】
請求項２の発明は、前記下方延出壁の内側面の上下長は、前記突起部の上下長に対して２倍相当以上であることを特徴とする請求項１記載の飲料容器の栓体である。
【００１１】
請求項３の発明は、前記内向き延出面の上面の幅は、栓体の内壁下端の肉厚に対して同等以上であることを特徴とする請求項１又は２記載の飲料容器の栓体である。
【００１２】
請求項４の発明は、前記内向き延出面の下面が、前記パッキンを前記凹部へ取り付ける場合の押ししろ部であり、また前記内向き延出面が、前記パッキンを取り外す場合のつかみしろであることを特徴とする請求項１〜３のいずれか１項に記載の飲料容器の栓体である。
【発明の効果】
【００１３】
請求項１の発明によれば、パッキンと栓体の内壁との間の接触面積が大きいため脱落しにくくなる。
【００１４】
請求項２の発明によれば、下方延出壁を比較的大きくすることで、パッキンのサイズが比較的大きくでき、脱落した場合もパッキンは単部品状態での視認性が向上するため目立ち、紛失しにくくなり、また栓体の内壁の外側面との接触面積が大きいため止水性も向上する。
【００１５】
請求項３の発明によれば、内向き延出面の上面を内壁下端に確実に係止することができる。
【００１６】
請求項４の発明によれば、押ししろ部を設けることで、パッキンが取り付けしやすくなり、確実に凹部の最奥面まで押込むことができ、パッキンの脱落を防ぐと共に、水密性を向上することができる。また、つかみしろを設けることでパッキンの取り外し作業がしやすくなる。
【図面の簡単な説明】
【００１７】
【図１】本発明の実施例１を示す断面図である。
【図２】同パッキンの断面図である。
【図３】同分解斜視図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１〜図３は実施例１を示すもので、携帯用魔法瓶１は、金属製の容器本体２と、該容器本体２の開口である開口端部２Ａに被着される合成樹脂製の中栓３とを備えている。容器本体２は、内筒４と外筒５の開口端部２Ａの縁を一体に接合し、内筒４と外筒５との間の空間を真空の断熱層６となした断熱二重構造で、外筒５の上部外周には、中栓３を螺着するためのおねじ７が形成されている。
【００２０】
中栓３は、外筒５の上部外周を囲繞する筒状部８にめねじ９が形成され、このめねじ９を外筒５のおねじ７に螺着して容器本体２の開口端部２Ａに装着される栓体10と、該栓体10にヒンジ11を用いて開閉可能に連結される蓋体12と、ヒンジ11とは反対側で蓋体12の全閉状態を保持するロック手段13とを備えている。
【００２１】
栓体10は、筒状部８の上面に、容器本体２の開口端部２Ａを覆う天板14を設けた逆有底筒状に形成されており、筒状部８の一側部には、ロック手段13の構成部材であるシーソ式のロックボタン15と係止環16とが設けられている。また、天板14の一側部側には飲み口17が設けられている。
【００２２】
また、栓体10の筒状部８の内側に容器本体２の上部開口である開口端部２Ａと栓体10の間を水密に止水する止水用パッキン19が設けられる。この止水用パッキン19は、エラストマー、ゴム或いは弾性合成樹脂によって形成され、栓体10の内面に設けられたパッキン19の取り付け用の凹部20に着脱可能に取り付けられるものであって、このパッキン19の取り付け用の凹部20は、平面が栓体10と同心円状な円環状に設けられるものであり、めねじ９と天板14との上下方向の間で筒状部８に沿っており、下方向を開口している。そして、この凹部20を形成するための内側に設けられる内壁21は、ほぼ凹部20の横幅程度の距離まで下方へ延出している。尚、この内壁21の一側は筒状部８と連続するように下方へ延出し、内壁21の他側は筒状部８よりヒンジ11側に位置している。
【００２３】
止水用パッキン19は、容器本体２の開口端部２Ａと凹部20との間に介在するパッキン本体である止水突起部22と、止水突起部22から下方へ延出する下方延出壁23と、下方延出壁23の下端から内向きに延出する内向き延出面24とからなる。止水突起部22は開口端部２Ａと、栓体10の凹部20の奥面25にそれぞれ下面26及び上面27で接して止水するもので、その平面は円環状で、縦断面はほぼ矩形であって、その外周面の上下方向の中央には溝28が内向きに全周にわたって設けられている。この溝28の内側方向への奥行きはほぼ中央まで達している。下方延出壁23は内側面29が栓体10の内壁21の外面の全域と接すると共に、外側面30は凹部20の外面と隙間Ａを有している。そして、上面27をそれぞれ上端としたとき、下方延出壁23の内側面29の上下長Ｂは、前記止水突起部22の上下長Ｃに対して２倍相当以上に形成されている（Ｂ＞２Ｃ、Ｂ＝２Ｃ）。
内向き延出面24は、下方延出壁23の下端に接続されて内壁21の下端21Ａを越えた位置から、下方延出壁23の下端から内向きに延出している。この内向き延出面24の上面32の幅Ｄは、栓体10の内壁21下端の肉厚Ｅに対して同等以上に形成されている（Ｄ＝Ｅ、Ｄ＞Ｅ）。
【００２４】
そして、内向き延出面24の下面33が、前記パッキン19を凹部20へ取り付ける場合の押ししろ部に形成されている。また前記内向き延出面が、前記パッキンを取り外す場合のつかみしろに形成されている。
【００２５】
栓体10の飲み口17は、天板14から飲用者が口に含むのに適した太さで蓋体12に覆われる高さの略円柱状に突設されており、その内部を飲料の注出口として、閉蓋時には蓋体12に装着したパッキン31で封止できるようになっている。
【００２６】
そして、容器本体２内の飲料を飲む場合には、ロックボタン15、係止環16によるロック状態を解除してヒンジ11を回転中心として蓋体12を回動して開蓋し、飲み口17を飲用者側に、また開状態の蓋体12を飲用者とは反対側に向けながら、飲み口17に口をつけて容器本体２を飲用者側に傾けることにより、容器本体２内の飲料が飲み口17より流出していくものである。
【００２７】
以上のように、前記実施例では、パッキン19は、容器本体２の開口端部２Ａと、栓体10の凹部20の奥面25にそれぞれ下面26及び上面27で接して止水する止水突起部22と、前記突起部22の内側下端から下方へ延出し、内側面29が栓体10の内壁21の外側面と接して止水する下方延出壁23と、栓体10の内壁21の下端21Ａを越えた位置から、下方延出壁23の下端から内向きに延出する内向き延出面24とを備えることで、パッキン19の下方延出壁23と栓体10の内壁21との間の接触面積が大きいため脱落しにくく、そしてパッキン19の上下幅、断面積などのサイズが比較的大きいため、脱落した場合もパッキン19は単部品状態での視認性が向上するため目立ち、紛失しにくい。また、栓体10の内壁21の外側面との接触面積が大きいため止水性も向上する。
【００２８】
さらに、栓体10にパッキン19を取り付けた状態ではパッキン19のサイズが大きいので、パッキン19の視認性が拡大され、取り付けの有無の識別が容易となり、パッキン19の取り付け忘れによる漏れを防止できる。
【００２９】
また、栓体10の内壁21より下方及び内方にパッキン19の内向き延出面24が位置し、取り外す際のつかみしろとなるため、パッキン19の取り外し作業がしやすくなる。また、内向き延出面24の下面33が、パッキン19を栓体10凹部20へ取り付ける場合の押ししろ部であるため、パッキン19を取り付けしやすく、確実に最奥面25まで押し込むことができる。
【００３０】
しかも、下方延出壁23の内側面29の上下長Ｂは、止水突起部22の上下長Ｃに対して２倍相当以上であることにより、パッキン19のサイズを大きくでき、取り付け状態にあるパッキン19の視認性を向上できる。さらに、パッキン19と栓体10の内壁21との間の接触面積が大きくなるため、パッキン１９が脱落しにくくなると共に、接触面での止水性も向上する。
【００３１】
さらに、内向き延出面24の上面32の幅Ｄは、栓体10の内壁21の下端21Ａの肉厚Ｅに対して同等以上であることにより、パッキン19の取り外しの際に、指で内向き延出面24を摘みやすくなって取り出し、さらには取り付けを容易に行うことができる。
【産業上の利用可能性】
【００３２】
以上のように本発明に係る飲料容器の栓体は、各種の用途に適用できる。
【符号の説明】
【００３３】
２  容器本体
２Ａ  開口端部（開口）
10  栓体
19  パッキン
20  凹部
21  内壁 
21Ａ  下端
22  止水突起部
23  下方延出壁
24  内向き延出面
25  奥面
26  下面
27  上面
29  内側面
32  内向き延出面24の上面
33  内向き延出面24の下面
Ｂ  内側面29の上下長
Ｃ  止水突起部22の上下長
Ｄ  上面32の幅
Ｅ  下端21Ａの肉厚
【図１】
2010189037.tif 000003
【図２】
2010189037.tif 000004
【図３】
2010189037.tif 000005